(57)【特許請求の範囲】
【請求項１】
椀状をなす凹所の開口縁部内周面に固定子巻線が設けられた枠体と、
この枠体の凹所底面に立設されて上記開口部方向に延在する主軸と、
上記枠体の凹所と相似形の椀状をなし上記枠体の凹所に嵌合状態に配置されて上記主軸に枢持され、上記枠体凹所の底面側における外周面に駆動綱車が形成されて上記開口縁部側の外周面に上記駆動綱車の直径よりも大径に電機子が設けられ上記開口縁部側の内周面に制動面が設けられた椀状回転体と、
縁部が上記枠体の互いに対向した開口縁部に装着された支持板と、
この支持板に設けられて上記椀状回転体の凹所内に配置され上記制動面を制動する制動機と、
上記支持板に装着された固定腕と、
この固定腕及び上記制動機の電磁石の両側にそれぞれ配置され、端部が上記固定腕に締結されて中間部により上記電磁石を挟持する電磁石取付板と、
中間部が上記固定腕に挿通されて端部の偏心部が上記電磁石取付板に嵌合された偏心軸と
を備えたエレベーター用巻上機。
【請求項２】
支持板に装着されて枠体内対応位置に配置された制動スイッチと、
制動機の制動腕に装着されて上記枠体内対応位置に配置され、上記制動スイッチを押圧する押圧子と
を備えたことを特徴とする請求項１記載のエレベーター用巻上機。
【請求項３】
制動機を、互いに反対方向に制動動作する二組によって構成し、これらの二組が主軸を中心として対称形態に装備されたものとしたことを特徴とする請求項１記載のエレベーター用巻上機。
【請求項４】
制動機を、
連結ピンにより制動腕に連結されたアーマチュアと、
このアーマチュアに装着されて一体的に構成された制動片と
を有するものとしたことを特徴とする請求項３記載のエレベーター用巻上機。
【請求項５】
制動腕を、互いに離れて対面して配置されて相互間に、制動片を装備したアーマチュアが配置されたものとしたことを特徴とする請求項４記載のエレベーター用巻上機。
【請求項６】
互いに離れて対面して配置された制動腕を、両ねじボルト形状をなし端部にナットがねじ込まれた締結具によって連結し、この連結具の一端に上記制動腕の一方が着脱自在に締結されたものとしたことを特徴とする請求項５記載のエレベーター用巻上機。
【請求項７】
一側が支持板に締結され他側により電磁石を制動機の制動動作方向に押圧する押圧体を備えたことを特徴とする請求項１記載のエレベーター用巻上機。
【請求項８】
椀状をなす凹所の開口縁部内周面に固定子巻線が設けられた枠体と、
この枠体の凹所底面に立設されて上記開口部方向に延在する主軸と、
上記枠体の凹所と相似形の椀状をなし上記枠体の凹所に嵌合状態に配置されて上記主軸に枢持され、上記枠体凹所の底面側における外周面に駆動綱車が形成されて上記開口縁部側の外周面に上記駆動綱車の直径よりも大径に電機子が設けられ上記開口縁部側の内周面に制動面が設けられた椀状回転体と、
縁部が上記枠体の互いに対向した開口縁部に装着された支持板と、
この支持板に設けられて上記椀状回転体の凹所内に配置され上記制動面を制動する制動機と、
上記支持板に設けられて上記制動機の制動動作を人為操作によって解放する制動解放機構と、
一側が互いに離れて対面して配置された上記制動機の制動腕の相互間に締結具によって締結されると共に上記制動機の制動ばねの上記制動腕に対する取付具に装着され、他側は上記制動解放機構の制動解放腕に設けられた係合ピンに連結された連結板と
を備えたエレベーター用巻上機。
【請求項９】
係合ピンを、連結板の係合部に空隙を形成して係合された小径部を有するものとしたことを特徴とする請求項８記載のエレベーター用巻上機。
【請求項１０】
椀状をなす凹所の開口縁部内周面に固定子巻線が設けられた枠体と、
この枠体の凹所底面に立設されて上記開口部方向に延在する主軸と、
上記枠体の凹所と相似形の椀状をなし上記枠体の凹所に嵌合状態に配置されて上記主軸に枢持され、上記枠体凹所の底面側における外周面に駆動綱車が形成されて上記開口縁部側の外周面に上記駆動綱車の直径よりも大径に電機子が設けられ上記開口縁部側の内周面に制動面が設けられた椀状回転体と、
縁部が上記枠体の互いに対向した開口縁部に装着された支持板と、
この支持板に設けられて上記椀状回転体の凹所内に配置され上記制動面を制動する制動機と、
上記支持板に設けられて上記制動機の制動動作を人為操作によって解放する制動解放機構と、
上記制動解放機構を形成する制動解放腕の回動端に設けられて、上方に開口したＵ字溝が上記支持板に設けられた解放ケーブル取付板に摺動自在に嵌合すると共に、上記制動解放機構の解放ケーブル及び上記制動解放腕の回動端を反制動解放方向へ付勢する付勢具がそれぞれ連結された案内金具と
備えたエレベーター用巻上機。
【発明の詳細な説明】
【０００１】
【発明の属する技術分野】
この発明は、電動機の回転子と駆動綱車が一体的に形成されて枠体内に装備されると共に、枠体内に制動機が配置されたトラクション式のエレベーター用巻上機に関する。
【０００２】
【従来の技術】
図１１及び図１２は、例えば特表平８−５１１７５８号公報に記載された従来のエレベーター用巻上機を示す図で、図１１は設置状態における正面図、図１２は図１１のＡ−Ａ線断面図である。図において、１は立設されたエレベーターの案内レール、２は椀状の凹所を有する枠体で、凹所の開口縁部３を介して案内レール１に装着され、凹所の底面４から主軸５が立設状態に設けられている。６は枠体２の底面４内側に設けられた固定子巻線である。
【０００３】
７は主軸５に枢持された回転体で、枠体２の底面４内側との対向面に固定子巻線６と対向してディスク形電動機を形成する電機子８、底面４内側との対向面の外周に形成されてブレーキディスク９及び枠体２の開口縁部３側に配置されてブレーキディスク９よりも小径に構成された駆動綱車１０が設けられている。１１は枠体２の外周縁部に設けられてブレーキディスク９を挟圧して制動動作する電磁ブレーキ、１２は駆動綱車１０に巻掛けられた主索で、図示が省略してあるが一端にかご、他端につり合おもりが連結されている。
【０００４】
従来のエレベーター用巻上機は上記のように構成され、案内レール１の背面に枠体２の開口縁部が装着されて昇降路（図示しない）の上端寄りに設置される。そして、電動機が付勢されると駆動綱車１０が回転し摩擦力により主索１２が駆動されて、かご及びつり合おもりを互いに反対方向に昇降させるようになっている。
【０００５】
【発明が解決しようとする課題】
上記のような従来のエレベーター用巻上機では、電磁ブレーキ１１が枠体２の外形から突出して設けられているので、巻上機の外形寸法が増大する。また、電磁ブレーキ１１等の保守、点検のための保守作業用スペースを確保する必要があって、設置場所が狭隘であるために巻上機の設置が制約されたり、設置不能になったりするという問題点があった。
【０００６】
この発明は、かかる問題点を解消するためになされたものであり、狭いスペースに容易に設置できるエレベーター用巻上機を得ることを目的とする。
【０００７】
【課題を解決するための手段】
この発明に係るエレベーター用巻上機においては、椀状をなす凹所の開口縁部内周面に固定子巻線が設けられた枠体と、この枠体の凹所底面に立設されて凹所の開口部方向に延在する主軸と、枠体の凹所と相似形の椀状をなし枠体の凹所に嵌合状態に配置されて主軸に枢持され、枠体凹所の底面側における外周面に駆動綱車が形成されて凹所の開口縁部側の外周面に駆動綱車の直径よりも大径に電機子が設けられ開口縁部側の内周面に制動面が設けられた椀状回転体と、縁部が枠体の互いに対向した開口縁部に装着された支持板と、この支持板に設けられて椀状回転体の凹所内に配置され椀状回転体の制動面を制動する制動機と、支持板に装着された固定腕と、この固定腕及び制動機の電磁石の両側にそれぞれ配置され、端部が固定腕に締結されて中間部により電磁石を挟持する電磁石取付板と、中間部が固定腕に挿通されて端部の偏心部が電磁石取付板に嵌合された偏心軸とが設けられる。
【０００８】
また、この発明に係るエレベーター用巻上機においては、支持板に装着されて枠体内対応位置に配置された制動スイッチと、制動機の制動腕に装着されて枠体内対応位置に配置され、制動スイッチを押圧する押圧子とが設けられる。
【００１０】
また、この発明に係るエレベーター用巻上機においては、互いに反対方向に制動動作する二組によって構成されて、これらの二組が主軸を中心として対称形態に装備されてなる制動機が設けられる。
【００１１】
また、この発明に係るエレベーター用巻上機においては、連結ピンにより制動腕に連結されたアーマチュアと、このアーマチュアに装着されて一体的に構成された制動片を有する制動機が設けられる。
【００１２】
また、この発明に係るエレベーター用巻上機においては、互いに離れて対面して配置されて相互間に、制動片を装備したアーマチュアが配置された制動腕が設けられる。
【００１３】
また、この発明に係るエレベーター用巻上機においては、両ねじボルト形状をなし端部にナットがねじ込まれた締結具により、互いに離れて対面して配置された制動腕が連結されて、この連結具の一端に制動腕の一方が着脱自在に締結される。
【００１６】
また、この発明に係るエレベーター用巻上機においては、一側が支持板に締結されて他側によって電磁石を制動機の制動動作方向に押圧する押圧体が設けられる。
【００１７】
また、この発明に係るエレベーター用巻上機においては、椀状をなす凹所の開口縁部内周面に固定子巻線が設けられた枠体と、この枠体の凹所底面に立設されて開口部方向に延在する主軸と、枠体の凹所と相似形の椀状をなし枠体の凹所に嵌合状態に配置されて主軸に枢持され、枠体凹所の底面側における外周面に駆動綱車が形成されて開口縁部側の外周面に駆動綱車の直径よりも大径に電機子が設けられ開口縁部側の内周面に制動面が設けられた椀状回転体と、縁部が枠体の互いに対向した開口縁部に装着された支持板と、この支持板に設けられて椀状回転体の凹所内に配置され制動面を制動する制動機と、支持板に設けられて制動機の制動動作を人為操作によって解放する制動解放機構と、一側が互いに離れて対面して配置された制動機の制動腕の相互間に締結具によって締結されると共に制動機の制動ばねの制動腕に対する取付具に装着され、他側は制動解放機構の制動解放腕に設けられた係合ピンに連結された連結板が設けられる。
【００１８】
また、この発明に係るエレベーター用巻上機においては、連結板の係合部に空隙を形成して係合された小径部を有する係合ピンが設けられる。
【００１９】
また、この発明に係るエレベーター用巻上機においては、椀状をなす凹所の開口縁部内周面に固定子巻線が設けられた枠体と、この枠体の凹所底面に立設されて開口部方向に延在する主軸と、枠体の凹所と相似形の椀状をなし枠体の凹所に嵌合状態に配置されて主軸に枢持され、枠体凹所の底面側における外周面に駆動綱車が形成されて開口縁部側の外周面に駆動綱車の直径よりも大径に電機子が設けられ開口縁部側の内周面に制動面が設けられた椀状回転体と、縁部が枠体の互いに対向した開口縁部に装着された支持板と、この支持板に設けられて椀状回転体の凹所内に配置され制動面を制動する制動機と、支持板に設けられて制動機の制動動作を人為操作によって解放する制動解放機構と、制動解放機構を形成する制動解放腕の回動端に設けられて、上方に開口したＵ字溝が支持板に設けられた解放ケーブル取付板に摺動自在に嵌合すると共に、制動解放機構の解放ケーブル及び制動解放腕の回動端を反制動解放方向へ付勢する付勢具がそれぞれ連結された案内金具が設けられる。
【００２０】
【発明の実施の形態】
実施の形態１．
図１〜図１０は、この発明の実施の形態の一例を示す図で、図１は正面図、図２は図１のＢ−Ｂ線断面図、図３は図１における支持板及び制動機箇所の正面図、図４は図３のＣ−Ｃ線断面拡大図、図５は図３の制動機の電磁石の拡大図、図６は図５のＤ−Ｄ線断面図、図７は図３の制動機の制動腕箇所の拡大図、図８は図７のＥ−Ｅ線断面図、図９は図３における制動機に付設された制動解放装置を示す図、図１０は図９の要部右側面図である。
【００２１】
図において、２は椀状の凹所を有する枠体で、凹所の開口縁部３、凹所の底面４、下側に形成された脚部１３、脚部１３を貫通して凹所に連通した主索１２の吊設孔１４が設けられている。１５は支持板で、枠体２の開口縁部３を上下方向に横切って枠体２の互いに対向した開口縁部３の相互間に配置されている。１６は支持板１５の縁部に挿通されて枠体２の開口縁部３にねじ込まれたボルトからなる締結具である。
【００２２】
１７は主軸で、枠体２の底面４から立設されて先端が支持板１５に保持されている。１８は枠体２の開口縁部３の内周面に設けられた固定子巻線、１９は椀状回転体で、枠体２の凹所と相似形の椀状をなし枠体２の凹所に嵌合状態に配置されて主軸１７に枢持される。２０は椀状回転体１９における枠体２凹所の底面４側における外周面に形成された駆動綱車である。
【００２３】
２１は電機子で、椀状回転体１９における枠体２凹所の開口縁部３側の外周面に配置されて駆動綱車２０の直径よりも大径に形成されて、固定子巻線１８と対向して配置され固定子巻線１８とによって電動機を構成する。２２は椀状回転体１９における枠体２凹所の開口縁部３側の内周面に設けられた制動面である。
【００２４】
２３は椀状回転体１９の凹所内に配置された電磁制動機からなる制動機で、互いに反対方向に制動動作する二組によって構成されて、これらの二組が主軸１７を中心として対称形態に装備され、一端が支持ピン２４により支持板１５に枢持された制動腕２５、両端が支持板１５及び制動腕２５の回動端にそれぞれ連結された制動ばね２６、制動腕２５の支持ピン２４と制動ばね２６の中間に設けられて制動面２２と対面した制動片２７、制動片２７が装着されて一体的に構成され連結ピン２８により制動腕２５の長手中間に連結されて後述する電磁石２９に対向したアーマチュア３０、電磁石２９を両側から挟持して支持板１５側に保持する電磁石取付板３１によって構成されている。
【００２５】
３２は図１おいて長手が水平に配置され支持板１５に装着され、かつ支持板１５の上下にそれぞれ配置されて両面にそれぞれ電磁石取付板３１が装着された固定腕、３３は偏心軸で、長手中間の中間部３４は固定腕３２に嵌合され、長手両端の偏心部３５は電磁石取付板３１に嵌合されている。３６は支持板１５の図１における下部寄りに装着された制動スイッチである。
【００２６】
３７は制動腕２５の回動端に装着されて制動スイッチ３６を押圧する押圧子、３８は下端が支持板１５の図１における下部寄りに枢持ピン３８１によって枢着された制動解放腕、３９は連結板で、一側が互いに離れて対面して配置された制動腕２５の相互間の中心に締結具４０によって締結されると共に制動ばね２６の制動腕２５に対する取付具４１に装着され、他側は制動解放腕３８の枢持ピン３８１の図１における上側寄りに配置されている。
【００２７】
４２は係合ピンで、制動解放腕３８の枢持ピン３８１の図１における上側寄りに立設され、小径部４３が連結板３９の反制動腕２５側に空隙を形成して嵌合されている。４４は案内金具で、制動解放腕３８の一部をなし下部が制動解放腕３８の回動端に固定されて上部には上方に開口したＵ字溝が設けられている。
【００２８】
４５は支持板１５の図１における上側寄りに固定された解放ケーブル取付板で、両端がそれぞれ案内金具４４のＵ字溝に空隙を形成して嵌合されている。４６は引張りコイルばねからなる付勢具で、一端が解放ケーブル取付板の先端に、他端は取付金具４５の上端に連結されている。
【００２９】
４７は解放ケーブルで、外管と外管に挿通された芯線から可撓性ケーブルによって構成されて、外管が解放ケーブル取付板４５に装着され、芯線は制動解放腕３８の案内金具４４に連結されている。そして、芯線が人為操作によって牽引されて制動解放腕３８の上端を解放ケーブル取付板４５の長手中心方向に回動させる。４７０は制動解放腕３８及び解放ケーブル４７を主要構成部材とする制動解放機構である。４８は板ばねからなる押圧体で、一側が支持板１５に締結され他側によって電磁石２９をアーマチュア３０方向に付勢する。
【００３０】
上記のように構成されたエレベーター用巻上機において、枠体２の脚部１３を介して昇降路の固定部に据付けられ、また主索１２が吊設孔１４に挿通されて駆動綱車２０に巻掛けられて吊設される。そして、固定子巻線１８と電機子２１によって構成された電動機が付勢されると、駆動綱車２０が回転して摩擦力により主索１２が駆動され、図示が省略してあるがかご及びつり合おもりを互いに反対方向に昇降させる。
【００３１】
また、電磁石２９が消勢されて制動ばね２６の押圧力によって制動片２７が椀状回転体１９の制動面２２に押圧されて駆動綱車２０が制動される。そして、電磁石２９が付勢されると制動ばね２６の押圧力に抗してアーマチュア３０が吸引され、制動片２７が制動面２２から離れて駆動綱車２０の制動が解除される。この駆動綱車２０の制動解除が制動スイッチ３６を介して検出されて、電動機が付勢され前述のようにかごが運転される。
【００３２】
また、かごが停電等によって昇降路の乗場（図示しない）から外れた位置に停止、すなわち異常停止した場合には、解放ケーブル４７の芯線が人為操作によって牽引される。これにより、制動解放腕３８が制動ばね２６の押圧力に抗して回動し、制動片２７が制動面２２から離れて駆動綱車２０の制動が解除される。そして、駆動綱車２０が制動解除された状態でかごの重量によってかごを昇降させ、かごを昇降路の乗場に停止してかご内乗客の救出が行われる。
【００３３】
このように構成されたエレベーター用巻上機は、椀状回転体１９の凹所内に制動機２３が配置され、また枠体２内対応位置に設けられた支持板１５に装着された制動スイッチ３６及び枠体２内対応位置に設けられて制動スイッチ３６を押圧する押圧子３７が設けられる。これにより、枠体２の外周から突出する部材がなく巻上機の外形が小さくなる。したがって、狭いスペースに巻上機を容易に設置することができる。また、支持板１５を取り外して制動機２３を点検することができ、保守作業用スペースが得にくいために巻上機の設置が制約される不具合を解消することができる。
【００３４】
また、制動機２３と、かごの異常停止時に制動機２３を人為操作によって解放する制動解放機構４７０とが、枠体２に締結具１６によって着脱自在に締結された支持板１５に装着される。このため、締結具１６による締結を解除して支持板１５を枠体２から取り外すことによって制動機２３、制動解放機構４７０を一緒に電動機側から取り外すことができる。したがって、固定子巻線１８等の電動機の保守、点検作業が容易にでき、保守作業能率を向上することができる。
【００３５】
また、製造工程を電動機側と、制動機２３及び救出機構側とに容易に分割することができるので、巻上機の製造時における取り扱い部材を軽量化できる。さらに、分割した部位をユニット化することができるので、生産性を向上することができる。
また、制動ばね２６、制動片２７、電磁石２９等からなる制動機２３の二組が、主軸１７を中心に対称形態に装備される。
【００３６】
このため、制動腕２５の支持ピン２４の荷重、制動ばね２６による荷重及び電磁石２９の荷重からなり、二組の制動機２３によって支持板１５に作用する負荷を互いに相殺することができる。したがって、制動機２３を小形化でき、またこれに伴って巻上機自体も小形化できて、狭いスペースに設置できるので巻上機の設置に対する制約を少なくすることができる。
【００３７】
また、アーマチュア３０に制動片２７を装着して一体化したので、制動腕２５は制動ばね２６の付勢力を伝達し、かつ制動力を支持するだけで済む。このため、余計な撓み量を考慮する必要がなく制動腕２５の横断面積を小さくでき、これに付随して制動機２３を小形化することができる。また、これに伴って巻上機自体も小形化できて、狭いスペースに設置でき巻上機の設置に対する制約を少なくすることができる。
【００３８】
また、離れて対面して配置された制動腕２５の相互間に、一体化された制動片２７とアーマチュア３０が配置される。このため、制動ばね２６による荷重、電磁石２９の荷重等によって制動腕２５にねじれが発生することがなく、制動腕２５を軽薄化することができる。したがって、制動機２３を小形化でき、またこれに伴って巻上機自体も小形化できて、狭いスペースに設置でき巻上機の設置に対する制約を少なくすることができる。
【００３９】
また、制動腕２５を固定腕３２に枢着する支持ピン２４、アーマチュア３０を制動腕２５に枢着する連結ピン２９、連結板３９を制動腕２５の相互間に連結する締結具４０及び制動ばね２６を制動腕２５に連結する取付具４１の締結具を、長手の両端にねじ部が設けられて両ねじボルト形状をなしナットがねじ込まれた構造をなすものとする。
【００４０】
そして、支持ピン２４等の長手の一端を離れて対面して配置された制動腕２５の一方に締結する。そして、このような構成により制動腕２５の保守作業スペース側の他方に対して、支持ピン２４等の長手の他端を着脱するようにする。これによって、支持ピン２４等の長手の他端から対応した制動腕２５を取り外す。これによって、制動片２７とアーマチュア３０を容易に点検したり交換したりすることができ保守作業能率を向上することができる。
【００４１】
また、電磁石２９の両側にそれぞれ電磁石取付板３１を配置して電磁石２９を挟持する。そして、これらの電磁石取付板３１が支持板１５に装着された固定腕３２の両面にそれぞれ締結される。このような構造によって電磁石２９を装着することにより、電磁石２９が積層構造体からなるものであっても容易に電磁石２９を所定位置に装着することができて、生産性を向上することができる。
【００４２】
また、電磁石２９を挟持した両側の電磁石取付板３１が、偏心軸３３によって固定腕３２に係合される。これにより、電磁石取付板３１の固定腕３２に対する締結を緩めて、偏心軸３３を回動することによって電磁石２９を固定腕３２に対して進退させることができる。このため、電磁石２９とアーマチュア３０との隙間を容易に調整することができ、保守作業能率を向上することができる。
【００４３】
また、押圧体４８によって電磁石２９がアーマチュア３０方向に押圧されている。このため、電磁石２９と電磁石取付板３１の図４に示す嵌合部に隙間が生じることがなく、電磁石取付板３１が固定腕３２の所定位置に配置されることによって、アーマチュア３０との間に所定の隙間を保って電磁石２９の位置を設定することができる。また、偏心軸３３を回動して電磁石２９を進退させる場合にバックラッシュが発生しないので、容易に位置決めできて保守作業能率を向上することができる。
【００４４】
また、制動解放腕３８が係合ピン４２及び互いに離れて対面して配置された制動腕２５の相互間の中心に配置された連結板３９を介して制動腕２５に連結されている。このため、制動解放腕３８の動作による荷重が、両方の制動腕２５にねじれを発生することなく均等に作用するので、制動腕２５を軽薄化でき巻上機自体も小形化できて、狭いスペースに設置でき巻上機の設置に対する制約を少なくすることができる。
【００４５】
また、制動解放腕３８に設けられた係合ピン４２の小径部４３が、連結板３９の係合部に空隙を形成して係合されるので、制動腕２５の通常時動作による変位が制動解放腕３８に伝達されることがない。このため、係合ピン４２と連結板３９の係合部等における損耗が減少して長寿命化できて保守作業能率を向上することができる。なお、制動解放腕３８の動作時には、その動作が連結板３９を介して確実に制動腕２５に伝動される。
【００４６】
また、制動解放腕３８に案内金具４４が設けられて、Ｕ字溝に解放ケーブル取付板４５が嵌合して制動解放腕３８の動作が案内される。また、案内金具４４に解放ケーブル４７の芯線が連結され、また案内金具４４に付勢具４６の端部が連結されている。このような構成によって部品数を少なくすることができ生産性を向上することができる。
【００４７】
【発明の効果】
この発明は以上説明したように、椀状をなす凹所の開口縁部内周面に固定子巻線が設けられた枠体と、この枠体の凹所底面に立設されて凹所の開口部方向に延在する主軸と、枠体の凹所と相似形の椀状をなし枠体の凹所に嵌合状態に配置されて主軸に枢持され、枠体凹所の底面側における外周面に駆動綱車が形成されて凹所の開口縁部側の外周面に駆動綱車の直径よりも大径に電機子が設けられ開口縁部側の内周面に制動面が設けられた椀状回転体と、縁部が枠体の互いに対向した開口縁部に装着された支持板と、この支持板に設けられて椀状回転体の凹所内に配置され、椀状回転体の制動面を制動する制動機と、支持板に装着された固定腕と、固定腕及び制動機の電磁石の両側にそれぞれ配置され、端部が固定腕に締結されて中間部により電磁石を挟持する電磁石取付板と、中間部が固定腕に挿通されて端部の偏心部が電磁石取付板に嵌合された偏心軸とを設けたものである。
【００４８】
これによって、椀状回転体の凹所内に制動機が配置され、枠体の外周から突出する部材がなく巻上機の外形を小さくでき、狭いスペースに容易に設置できる巻上機を得ることができる。また、支持板を取り外して制動機を点検することができ、保守作業用スペースが得にくいために巻上機の設置が制約される不具合を解消する効果がある。また、枠体に締結された支持板に制動機が装着されて、支持板を枠体から取り外すことによって制動機を電動機側から取り外すことができる。したがって、固定子巻線等の電動機の保守、点検作業が容易にでき、保守作業能率を向上する効果がある。また、電磁石を装着することにより、電磁石が積層構造体からなるものであっても容易に電磁石を所定位置に装着することができて、生産性を向上する効果がある。さらに、電磁石取付板の固定腕に対する締結を緩めて、偏心軸を回動することによって電磁石を固定腕に対して進退させることができる。このため、電磁石とアーマチュアとの隙間を容易に調整することができ、保守作業能率を向上する効果がある。
【００４９】
また、この発明は以上説明したように、支持板に装着されて枠体内対応位置に配置された制動スイッチと、制動機の制動腕に装着されて枠体内対応位置に配置され、制動スイッチを押圧する押圧子とを設けたものである。
【００５０】
これによって、椀状回転体の凹所内に制動機が配置され、また枠体内対応位置に制動スイッチ及び制動スイッチを押圧する押圧子が配置される。このため、枠体の外周から突出する部材がなく巻上機の外形を小さくでき、狭いスペースに容易に設置できる巻上機を得ることができる。また、支持板を取り外して制動機を点検することができ、保守作業用スペースが得にくいために巻上機の設置が制約される不具合を解消する効果がある。また、枠体に締結された支持板に制動機が装着されて、支持板を枠体から取り外すことによって制動機を電動機側から取り外すことができる。したがって、固定子巻線等の電動機の保守、点検作業が容易にでき、保守作業能率を向上する効果がある。
【００５３】
また、この発明は以上説明したように、互いに反対方向に制動動作する二組によって構成し、これらの二組が主軸を中心として対称形態に装備されてなる制動機を設けたものである。
【００５４】
これによって、制動機の作動荷重によって発生して二組の制動機によって支持板に作用する負荷が互いに相殺される。したがって、支持板、制動機を小形化でき、またこれに伴って巻上機自体も小形化できて、狭いスペースに設置でき巻上機の設置に対する制約を少なくする効果がある。
【００５５】
また、この発明は以上説明したように、連結ピンにより制動腕に連結されたアーマチュアと、このアーマチュアに装着されて一体的に構成された制動片を有する制動機を設けたものである。
【００５６】
これによって、制動腕は制動ばねの付勢力を伝達し、かつ制動力を支持するだけで済む。このため、余計な撓み量を考慮する必要がなく制動腕の横断面積を小さくでき、これに付随して制動機を小形化でき、またこれに伴って巻上機自体も小形化できて、狭いスペースに設置でき巻上機の設置に対する制約を少なくする効果がある。
【００５７】
また、この発明は以上説明したように、互いに離れて対面して配置されて相互間に、制動片と一体的に構成されたアーマチュアが装備された制動腕を設けたものである。
【００５８】
これによって、制動ばねによる荷重、電磁石の荷重等によって制動腕にねじれが発生することがなく、制動腕を軽薄化することができる。したがって、制動機を小形化でき、またこれに伴って巻上機自体も小形化できて、狭いスペースに設置でき巻上機の設置に対する制約を少なくする効果がある。
【００５９】
また、この発明は以上説明したように、両ねじボルト形状をなし端部にナットがねじ込まれた締結具によって、互いに離れて対面して配置された制動腕が連結され、この連結具の一端に制動腕の一方を着脱自在に締結したものである。
【００６０】
これによって、制動腕の一方を連結具から取り外して、制動片、アーマチュアを容易に点検したり交換したりすることがでいる。したがって、保守作業能率を向上する効果がある。
【００６５】
また、この発明は以上説明したように、一側が支持板に締結されて他側によって電磁石を制動機の制動動作方向に押圧する押圧体を設けたものである。
【００６６】
これによって、押圧体により電磁石が押圧されるので、電磁石と電磁石取付板の嵌合部に隙間が生じることがなく、電磁石取付板が固定腕の所定位置に配置されることによって、対向したアーマチュアとの間に所定の隙間を保って電磁石の位置を設定することができる。また、偏心軸を回動して電磁石を進退させる場合にバックラッシュが発生しないので、容易に位置決めできて保守作業能率を向上する効果がある。
【００６７】
また、この発明は以上説明したように、椀状をなす凹所の開口縁部内周面に固定子巻線が設けられた枠体と、この枠体の凹所底面に立設されて開口部方向に延在する主軸と、枠体の凹所と相似形の椀状をなし枠体の凹所に嵌合状態に配置されて主軸に枢持され、枠体凹所の底面側における外周面に駆動綱車が形成されて開口縁部側の外周面に駆動綱車の直径よりも大径に電機子が設けられ開口縁部側の内周面に制動面が設けられた椀状回転体と、縁部が枠体の互いに対向した開口縁部に装着された支持板と、この支持板に設けられて椀状回転体の凹所内に配置され制動面を制動する制動機と、支持板に設けられて制動機の制動動作を人為操作によって解放する制動解放機構と、一側が互いに離れて対面して配置された制動機の制動腕の相互間に締結具によって締結されると共に制動機の制動ばねの制動腕に対する取付具に装着され、他側は制動解放機構の制動解放腕に設けられた係合ピンに連結された連結板を設けたものである。
【００６８】
これによって、支持板を枠体から取り外すことによって制動機、制動解放機構を一緒に固定子巻線、電機子からなる電動機側から取り外すことができる。したがって、固定子巻線等の電動機の保守、点検作業が容易にでき、保守作業能率を向上する効果がある。また、制動解放腕の動作による荷重が、両方の制動腕に捩じれを発生することなく均等に作用する。このため、制動腕を軽薄化でき巻上機自体も小形化できて、狭いスペースに設置でき巻上機の設置に対する制約を少なくする効果がある。
【００６９】
また、この発明は以上説明したように、連結板の係合部に空隙を形成して係合された小径部を有する係合ピンを設けたものである。
【００７０】
これによって、制動腕の通常時における制動動作による変位が制動解放腕に伝達されることがない。このため、係合ピンと連結板の係合部等における損耗が減少して長寿命化できて保守作業能率を向上する効果がある。
【００７１】
また、この発明は以上説明したように、椀状をなす凹所の開口縁部内周面に固定子巻線が設けられた枠体と、この枠体の凹所底面に立設されて開口部方向に延在する主軸と、枠体の凹所と相似形の椀状をなし枠体の凹所に嵌合状態に配置されて主軸に枢持され、枠体凹所の底面側における外周面に駆動綱車が形成されて開口縁部側の外周面に駆動綱車の直径よりも大径に電機子が設けられ開口縁部側の内周面に制動面が設けられた椀状回転体と、縁部が枠体の互いに対向した開口縁部に装着された支持板と、この支持板に設けられて椀状回転体の凹所内に配置され制動面を制動する制動機と、支持板に設けられて制動機の制動動作を人為操作によって解放する制動解放機構と、制動解放機構を形成する制動解放腕の回動端に設けられて、上方に開口したＵ字溝が支持板に設けられた解放ケーブル取付板に摺動自在に嵌合すると共に、制動解放機構の解放ケーブル及び制動解放腕の回動端を反制動解放方向へ付勢する付勢具がそれぞれ連結された案内金具を設けたものである。
【００７２】
これによって、支持板を枠体から取り外すことによって制動機、制動解放機構を一緒に固定子巻線、電機子からなる電動機側から取り外すことができる。したがって、固定子巻線等の電動機の保守、点検作業が容易にでき、保守作業能率を向上する効果がある。また、制動解放腕の回動端に設けられた案内金具により制動解放腕の回動動作が解放ケーブル取付板によって案内され、また案内金具に解放ケーブル及び付勢具が連結される。したがって、部品数が減少して生産性を向上する効果がある。
【図面の簡単な説明】
【図１】  この発明の実施の形態１を示す正面図。
【図２】  図１のＢ−Ｂ線断面図。
【図３】  図１における支持板及び制動機箇所の正面図。
【図４】  図３のＣ−Ｃ線断面拡大図。
【図５】  図３の制動機の電磁石の拡大図。
【図６】  図５のＤ−Ｄ線断面図。
【図７】  図３の制動機の制動腕箇所の拡大図。
【図８】  図７のＥ−Ｅ線断面図。
【図９】  図３における制動機に付設された制動解放装置を示す図。
【図１０】  図９の要部右側面図。
【図１１】  従来のエレベーター用巻上機を示す図で、設置状態における正面図。
【図１２】  図１１のＡ−Ａ線断面図。
【符号の説明】
２  枠体、３  開口縁部、４  凹所底面、１５  支持板、１７  主軸、１８  固定子巻線、１９  椀状回転体、２０  駆動綱車、２１  電機子、２２  制動面、２３  制動機、２５  制動腕、２６  制動ばね、２７  制動片、２８  連結ピン、２９  電磁石、３０  アーマチュア、３１  電磁石取付板、３２  固定腕、３３  偏心軸、３４  中間部、３５  偏心部、３６  制動スイッチ、３７  押圧子、３８  制動解放腕、３９  連結板、４０  締結具、４１  取付具、４２  係合ピン、４３  小径部、４４  案内金具、４５  解放ケーブル取付板、４６  付勢具、４７  解放ケーブル、４７０  制動解放機構、４８  押圧体。
【図１】
0004482196.tif 000002
【図２】
0004482196.tif 000003
【図３】
0004482196.tif 000004
【図４】
0004482196.tif 000005
【図５】
0004482196.tif 000006
【図６】
0004482196.tif 000007
【図７】
0004482196.tif 000008
【図８】
0004482196.tif 000009
【図９】
0004482196.tif 000010
【図１０】
0004482196.tif 000011
【図１１】
0004482196.tif 000012
【図１２】
0004482196.tif 000013